(57)【要約】【課題】商品の在庫状況を簡単にかつ確実に管理すると共に管理箇所において有効にスペースを利用できる商品管理方法の提供を課題とする。【解決手段】仕切り板１１及び基体１０及び鍔部１２からなる商品保管用仕切り  １の鍔部１２に商品の保管場所を特定可能な表示を有するロケーションラベル  ３を視認可能に配設し、商品保管用仕切り  １を移動して棚の端部の壁部又は隣り合う他の商品保管用仕切り  １との間隔を変更し、商品の在庫量に応じた商品を保管すると共に同時に移動するロケーションラベル  ３により移動位置において保管商品の位置及び内容を特定可能とした商品管理方法を用いることにより達成できる。【選択図】    図５
2004155535.tif 000002
【特許請求の範囲】
【請求項１】
少なくともロケーションラベル  ３と、
商品を保管している場所に商品の配置位置を定める仕切り板１１と、該仕切り板１１に連設した基体１０と、基体１０に連設した鍔部１２とを有する商品保管用仕切り  １とからなり、
ロケーションラベル  ３は商品の保管場所を特定可能な表示を有する媒体であり、
該商品保管用仕切り  １の鍔部１２は基体１０を棚に配設した際に棚の側面２０に位置するものであると共に前記ロケーションラベル  ３を該鍔部１２に視認可能に配設でき、
該商品保管用仕切り  １は棚の平面上を水平方向に移動可能であり、商品の在庫量に応じて商品保管用仕切り  １を移動させて、棚の端部の壁部又は隣り合う他の商品保管用仕切り  １との間隔を変更可能とし、商品の在庫量に応じた商品を保管すると共にロケーションラベル  ３も該商品保管用仕切り  １と共に移動し移動位置において保管商品の位置及び内容を特定可能としたことを特徴とする商品管理方法。
【請求項２】
ロケーションラベル  ３が、商品の保管場所を特定可能な表示と共に商品に関する特定可能な表示を有する媒体であることを特徴とする請求項１記載の商品管理方法。
【請求項３】
保管する商品についての特定可能な表示を保管商品又は保管場所に行い、該商品保管用仕切り  １を移動し移動位置においても該保管商品又は保管場所の保管する商品を特定可能な表示により保管商品の位置及び内容を特定可能としたことを特徴とする請求項１又は２のいずれかに記載の商品管理方法。
【請求項４】
少なくともロケーションラベル  ３と、
社内ＪＡＮラベル  ４と、
商品を保管している場所に商品の配置位置を定める仕切り板１１と、該仕切り板１１に連設した基体１０と、基体１０に連設した鍔部１２とを有する商品保管用仕切り  １とからなり、
ロケーションラベル  ３は商品の保管場所を特定可能な表示を有する媒体であり、
社内ＪＡＮラベル  ４は商品に関する特定可能な表示を有する媒体であり、
該商品保管用仕切り  １の鍔部１２は基体１０を棚に配設した際に棚の側面２０に位置するものであると共に前記ロケーションラベル  ３と社内ＪＡＮラベル  ４とを該鍔部１２に視認可能に配設でき、
該商品保管用仕切り  １は棚の平面上を水平方向に移動可能であり、商品の在庫量に応じて商品保管用仕切り  １を移動させて、棚の端部の壁部又は隣り合う他の商品保管用仕切り  １との間隔を変更可能とし、商品の在庫量に応じた商品を保管すると共にロケーションラベル  ３と社内ＪＡＮラベル  ４も該商品保管用仕切り  １と共に移動し移動位置において保管商品の位置及び内容を特定可能としたことを特徴とする商品管理方法。
【請求項５】
商品保管用仕切り  １の鍔部１２を基体１０に代えて仕切り板１１に連設すると共に基体１０を棚に配設した際に鍔部１２が棚の表面部に位置し、前記ロケーションラベル  ３及び／又は社内ＪＡＮラベル  ４とを該鍔部１２に視認可能に配設するものであることを特徴とする請求項１乃至４のいずれかに記載の商品管理方法。
【請求項６】
ロケーションラベル  ３の予め定める商品を保管する保管位置の保管場所を特定可能な表示に際して、水平面において後に新たな保管位置を設けることができるように事後付与可能な商品の保管場所の特定可能な表示を用いることを特徴とする請求項１乃至５のいずれかに記載の商品管理方法。
【請求項７】
ロケーションラベル  ３には、商品の保管場所を特定可能なデータをラベルコードで明示し、
データの送受信可能な読取り送受信機により該データを読取り、このデータをコンピュータに送信して格納することにより保管場所における商品の在庫状況を管理することを特徴とする請求項１乃至６のいずれかに記載の商品管理方法。
【請求項８】
社内ＪＡＮラベル  ４又は保管する商品についての特定可能な表示には、商品に関するデータをラベルコードで明示し、
データの送受信可能な読取り送受信機により該データを読取り、このデータをコンピュータに送信して格納することにより保管場所における商品の在庫状況を管理することを特徴とする請求項１乃至７のいずれかに記載の商品管理方法。
【請求項９】
商品保管用仕切り  １の仕切り板１１の上部に板体  ５を載置すると共に、該板体  ５上に商品保管用仕切り  １を配置することにより、棚の上部空間に移動可能な商品保管用仕切り  １を配設可能とし、棚の上部空間において商品の保管を行うことを特徴とする請求項１乃至８のいずれかに記載の商品管理方法。
【請求項１０】
ロケーションラベル  ３の予め定める商品を保管する保管位置の保管場所を特定可能な表示に際して、棚の上部空間に後に新たな保管位置を設けることができるように事後付与可能な商品の保管場所の特定可能な表示を用いることを特徴とする請求項１乃至９のいずれかに記載の商品管理方法。
【請求項１１】
ロケーションラベル  ３に、記号又は数字或いは文字のいずれか一以上で該保管箇所の表示をすることを特徴とする請求項１乃至１０のいずれかに記載の商品管理方法。
【請求項１２】
社内ＪＡＮラベル  ４又は保管する商品についての特定可能な表示に、商品の内容の表示及び／又は発注番号の表示をすることを特徴とする請求項１乃至１１のいずれかに記載の商品管理方法。
【請求項１３】
社内ＪＡＮラベル  ４又は保管する商品についての特定可能な表示の商品に関するデータは、少なくとも仕入れ先・仕入れ年度・商品を特定可能なデータ・発注番号のいずれか一以上を特定可能なデータからなることを特徴とする請求項１乃至１２のいずれかに記載の商品管理方法。
【請求項１４】
入庫又は出庫又は保管管理を行う担当者毎に社員コードを発行し、データの送受信可能な読取り送受信機により入庫又は出庫又は保管管理を行う際に該社員コードを読取り、コンピュータに送信して格納し、誰が入庫又は出庫又は保管管理を行ったかを管理可能としたことを特徴とする請求項１乃至１３のいずれかに記載の商品管理方法。
【請求項１５】
ロケーションラベル  ３に代え、商品保管用仕切り  １に商品の保管場所を特定可能な表示を明示したことを特徴とする請求項１乃至１４のいずれかに記載の商品管理方法。
【請求項１６】
請求項１乃至請求項１５のいずれかに記載の商品管理方法に用いる商品保管用仕切り。
【発明の詳細な説明】
【０００１】
【発明の属する技術分野】
本発明は、商品の在庫管理を行う商品管理方法に関し、より具体的には入庫した商品に関し、特定の保管箇所に商品を保管可能とすると共に保管箇所の範囲及び位置を移動可能とし、保管箇所において在庫量の確認及び在庫場所での在庫量の調整を可能とすると共に保管作業時に簡単に保管商品のデータを送受信し、在庫量の確認を可能とする商品管理方法に関する。
【０００２】
【従来の技術】
従来より、流通過程において商品を出庫をする場合に出庫すべき商品を入庫し、必要時に出庫しているものであり、この入庫している或いは入庫予定の商品を管理しつつ、必要な出庫を行っているものである。
従って入庫した商品は順次必要に応じて必要な出庫相手に出庫すると共に特定の日時に出庫すること等が要求されているものである。
【０００３】
【発明が解決しようとする課題】
しかし、現状において極めて多数のかつ多種類の商品を管理することが要求され、商品の在庫管理には多大の労力及び経験を必要とし、発注した入庫商品を一定の保管箇所において保管し、これを必要に応じて順次又は一括にて出庫するものであり、常に在庫量を管理すると共に出庫に応じた在庫量を確保することが必要である。
更には入庫した商品を一の保管箇所において保管していた場合においても、出庫及び入庫の繰り返しによりその在庫量が変動し、常に在庫量を確認しておかなければならないと共に、当所予定していた保管場所においてその商品を保管していたとしても在庫量の変動に伴い、予定していた箇所だけではなく他の箇所にまで商品を分散保管しなければならなくなることが常であり、更に在庫管理を困難にしている。
【０００４】
又、例えば返品等によって、予想在庫の数に変動ができてしまう場合があり、この保管場所も予定していない以上分散保管されやすい上、その管理が困難であった。
特に従来よりコンピュータによって在庫管理はなされているが、その状況を紙媒体等に打ち出して、在庫状況を管理しているものであり、いかなる場所にいかなる商品が幾つ在庫しており、例えばその賞味期限等の商品特性をきっちりと把握しておくことためにはきっちりとした保管管理体制をとることが必要であった。
併せて商品の出入庫に伴い、一の保管場所においてその時々により異なる商品が保管される事も多く、どこに何がどの程度あるかを把握しきれないことがあった。
【０００５】
例えば、コンピュータ上在庫の存在が判明しているのにも拘らず当該商品がどこに保管しているか不明となってしまう場合や、例えば賞味期限の長いものから先に誤って出庫されてしまう恐れもないわけではない。
これらに対して、例えば在庫を大幅に上回る保管場所を常に維持することにより、商品管理の把握の容易化を図る方法もあるがコスト的にもスペース的にも極めて難しいものである。
以上のように商品の在庫状況を簡単にかつ確実に管理すると共に、管理箇所において有効にスペースを利用できる何らかの商品管理方法が望まれていた。
【０００６】
【課題を解決するための手段】
本発明は上記課題を解決するために発明されたものであり、請求項１記載の発明は、少なくともロケーションラベルと、商品を保管している場所に商品の配置位置を定める仕切り板と該仕切り板に連設した基体と基体に連設した鍔部とを有する商品保管用仕切りとからなり、ロケーションラベルは商品の保管場所を特定可能な表示を有するラベルであり、該商品保管用仕切りの鍔部は基体を棚等に配設した際に棚の側面に位置するものであると共に前記ロケーションラベルを該鍔部に視認可能に配設でき、該商品保管用仕切りは棚の平面上を水平方向に移動可能であり、商品の在庫量に応じて商品保管用仕切りを移動させて棚の端部の壁部又は隣り合う他の商品保管用仕切りとの間隔を変更可能とし、商品の在庫量に応じた商品を保管すると共にロケーションラベルも該商品保管用仕切りと共に移動し移動位置において保管商品の位置及び内容を特定可能とした商品管理方法からなり、係る発明によって商品の在庫状況を簡単にかつ確実に管理すると共に管理箇所において有効にスペースを利用できる商品管理方法を提供できる。
【０００７】
又、請求項２に係る発明のようにロケーションラベルが、商品の保管場所を特定可能な表示と共に商品に関する特定可能な表示を有するラベルであることにより、ロケーションラベルにより商品の在庫状況を簡単にかつ確実に管理できる。更に請求項３に係る発明のように保管する商品についての特定可能な表示を保管商品又は保管場所に行い、該商品保管用仕切りを移動し移動位置においても該保管商品又は保管場所の保管する商品を特定可能な表示により保管商品の位置及び内容を特定可能とした商品管理方法によっても同様に商品の在庫状況を簡単にかつ確実に管理できる。
【０００８】
或いは、請求項４に係る発明のように、少なくともロケーションラベルと、社内ＪＡＮラベルと、商品を保管している場所に商品の配置位置を定める仕切り板と該仕切り板に連設した基体と基体に連設した鍔部とを有する商品保管用仕切りとからなり、ロケーションラベルは商品の保管場所を特定可能な表示を有するラベルであり、社内ＪＡＮラベルは商品に関する特定可能な表示を有するラベルであり、該商品保管用仕切りの鍔部は基体を棚等に配設した際に棚の側面に位置するものであると共に前記ロケーションラベルと社内ＪＡＮラベルとを該鍔部に視認可能に配設でき、該商品保管用仕切りは棚の平面上を水平方向に移動可能であり、商品の在庫量に応じて商品保管用仕切りを移動させて棚の端部の壁部又は隣り合う他の商品保管用仕切りとの間隔を変更可能とし、商品の在庫量に応じた商品を保管すると共にロケーションラベルと社内ＪＡＮラベルも該商品保管用仕切りと共に移動し移動位置において保管商品の位置及び内容を特定可能とした商品管理方法によっても商品の在庫状況を簡単にかつ確実に管理すると共に管理箇所において有効にスペースを利用できる商品管理方法を提供できる。
【０００９】
或いは請求項５に係る発明のように商品保管用仕切りの鍔部を仕切り板に連設すると共に基体を棚等に配設した際に棚の表面部に位置し、前記ロケーションラベル及び／又は社内ＪＡＮラベルとを該鍔部に視認可能に配設するものであることを特徴とする商品管理方法を用いても同様である。
これらの場合、請求項６に係る発明のようにロケーションラベルの予め定める商品を保管する保管位置の保管場所を特定可能な表示に際して、水平面において後に新たな保管位置を設けることができるように事後付与可能な商品の保管場所を特定可能な表示を用いる商品管理方法によって、商品保管用仕切りの移動によって生じた空間に新たなロケーションを付与でき、効率的な商品の保管を可能にする。
【００１０】
これらの場合、請求項７に係る発明のようにロケーションラベルには、商品の保管場所を特定可能なデータをラベルコードで明示し、データの送受信可能な読取り送受信機により該データを読取り、このデータをコンピュータに送信して格納することにより保管場所における商品の在庫状況を管理する商品管理方法によって、更にコンピュータによる一元管理も容易となる。
又、請求項８に係る発明のように社内ＪＡＮラベル又は保管する商品についての特定可能な表示には、商品に関するデータをラベルコードで明示し、データの送受信可能な読取り送受信機により該データを読取り、このデータをコンピュータに送信して格納することにより保管場所における商品の在庫状況を管理する商品管理方法によっても、同様にコンピュータによる一元管理も容易となる。
【００１１】
尚、請求項９に係る発明のように、商品保管用仕切りの仕切り板の上部に板体を載置すると共に、該板体上に商品保管用仕切りを配置することにより、棚の上部空間に移動可能な商品保管用仕切りを配設可能とし、棚の上部空間において商品の保管を行う商品管理方法により、棚の上部に生ずる可能性のある空間も有効に活用できる。
この場合、請求項１０に係る発明のようにロケーションラベルの予め定める商品を保管する保管位置の保管場所を特定可能な表示に際して、棚の上部空間に後に新たな保管位置を設けることができるように事後付与可能な商品の保管場所を特定可能な表示を用いる商品管理方法によって新たなロケーションを付与でき、効率的な商品の保管を可能にする。
【００１２】
尚、請求項１１に係る発明のようにロケーションラベルに記号又は数字或いは文字で該保管箇所の表示を行い、請求項１２に係る発明のように社内ＪＡＮラベル又は保管する商品についての特定可能な表示に商品の内容の表示及び／又は発注番号の表示を行うことにより管理の容易化が図れる。
又、請求項１３に係る発明のように社内ＪＡＮラベル又は保管する商品についての特定可能な表示の商品に関するデータは、少なくとも仕入れ先・仕入れ年度・商品を特定可能なデータ・発注番号のいずれか一以上を特定可能なデータからなるものであってもよい。
【００１３】
この他、請求項１４に係る発明のように入庫又は出庫又は保管管理を行う担当者毎に社員コードを発行し、データの送受信可能な読取り送受信機により入庫又は出庫又は保管管理を行う際に該社員コードを読取り、コンピュータに送信して格納し、誰が入庫又は出庫又は保管管理を行ったかを管理可能としたものであってもよい。
尚、請求項１５に係る発明のようにロケーションラベルに代え、商品保管用仕切りに商品の保管場所を特定可能な表示を明示した商品管理方法であってもよい。
又、請求項１６に係る発明のように前記した商品管理方法に用いる商品保管用仕切りにより、保管場所のスペースを有効に増減し活用できると共にその保管を確実かつ容易とすることができる。
【００１４】
【発明の実施の形態】
まず、本発明の基本的内容は、商品の保管場所を特定可能な表示を有するロケーションラベル  ３と商品保管用仕切り  １とからなり、該商品保管用仕切り  １にロケーションラベル  ３を視認可能に配設して商品の保管管理の容易化を可能とするものであり、更には該商品保管用仕切り  １が棚の平面上を水平方向に移動でき、商品の在庫量に応じて商品保管用仕切り  １を移動させることを可能とした商品管理方法である。
この場合に、商品の特定に関してはロケーションラベル  ３に基づいて格納しているデータより商品データを導き出して特定するものであってもよい。
更に商品には出荷箇所より予め商品明示がなされている場合等には、これに基づいて特定するものであってもよい。
又、商品に関する特定可能な表示を有する社内ＪＡＮラベル  ４や保管する商品についての特定可能な表示を保管商品又は保管場所に行い、移動前後における商品の在庫管理を確実とするものであってもよいものである。
【００１５】
従って、例えば棚等に商品を保管した場合にその商品の保管量の変動により、商品保管用仕切り  １を移動させて各商品保管スペースを任意に設定でき、変動する商品量に対応可能とするものである。
更に商品保管用仕切り  １にはロケーションラベル  ３と社内ＪＡＮラベル  ４或いは保管する商品についての特定可能な表示等により、商品保管用仕切り  １の移動と共にこれらのラベルも移動することとなりいかなるロケーションにいかなる商品があるかが容易に把握できるものである。
図１に商品の入庫段階の流れの一例を示す。
まず、各種データをホストコンピュータ内にデータとして格納する。
即ち、保管場所情報や顧客データ等本システム可動の前提として必要なデータ類を格納する。
【００１６】
次に、予め保管場所のロケーションを定め、その保管箇所に付いて区分けをしておき、このロケーションをもとに仕入れた商品をいかなる場所において保管すべきかを定めてロケーションラベル  ３を発行し、その区分けをした保管箇所にそれぞれ仕入れた商品を割り当て保管する。
或いは予め定めておくほかに、入庫の前後の段階で商品をいかなる場所において保管すべきかを定め、そのロケーションを割り当て商品の保管場所をラベルコードで明示したロケーションラベル  ３を発行するものであってもよい。
このロケーションラベル  ３には例えば予め定めた階・フロアー・列・棚・間口等を割り当てた特定箇所をラベルコードで表示すると共にこの該保管箇所の表示を記号又は数字或いは文字で表示しておく。
【００１７】
この場合、例えば棚上の間口方向即ち商品保管用仕切り  １の棚上の移動によって、予定していた空間に隙間が生じた際に後にその箇所に新たなロケーションを付与できるように事後付与可能な商品の保管場所の特定可能な表示としておく。即ち、例えば間口として予め１乃至５の番号を定めておき、ブランク即ち後日追加可能な６乃至９の番号を取っておけるようにして１乃至５の番号を商品の保管場所を特定可能な表示とする。
又、棚の上部空間の隙間を埋める場合即ち上部に空間を有しており、このスペースも有効に活用する場合には商品保管用仕切り  １の仕切り板１１の上部に板体  ５を載置し該板体  ５上に商品保管用仕切り  １を配置することにより、新たなロケーションを作り出す事が可能である。
この場合も事後付与可能な商品の保管場所を得られるよう当初の商品の保管場所の特定可能な表示の設定段階で余裕を有する設定を行う。
【００１８】
例えば予め事後付与用の番号等を設定しておき、或いは連番中にブランクを入れておく等である。
このロケーションラベル  ３も同様に保管箇所に貼付するものであり、一見して保管箇所が判別可能となり、保管箇所の特定判別が可能となる。
この保管箇所に関するデータはもちろん予めホストコンピュータ内のデータとして格納されている。
尚、ロケーションラベル  ３の商品の保管場所を特定するデータを用いて、ホストコンピュータ内より商品情報を引き出せるものであってもよい。
更にこの他、ロケーションラベル  ３に商品の保管場所を特定可能な表示と共に商品に関する特定可能な表示を有する情報を明示するものであってもよい。
これにより、保管場所及び保管商品などの管理を行うことができる。
【００１９】
以上のように発行されたロケーションラベル  ３は、商品保管用仕切り  １に視認可能に配設する。
例えばこのロケーションラベル  ３を貼付・印刷等により配設してもよく、或いは商品保管用仕切り  １自体に商品の保管場所を特定可能な表示を配設するものでもよい。
従ってロケーションラベル  ３として使用するもののほか例えば商品保管用仕切り  １自体にこの表示を有して成形するものであってもよい。
尚、ロケーションラベル  ３は商品の保管場所を特定可能な表示を有する媒体であればよく、その形式内容はとわない。
次に、商品を仕入れ先より仕入れるが、この仕入れの段階において当該商品の仕入れ先・仕入日・発注番号・商品・数量・賞味期限等の各種データをホストコンピュータ内にデータとして格納する。
尚、予め判明しているものはこの段階前に格納しておくものであってももちろんよい。
【００２０】
この後、商品に関するデータをラベルコードで明示した社内ＪＡＮラベル  ４を発行する。
例えばこの社内ＪＡＮラベル  ４に関しては仕入先等を主とする商品に関するデータでもよく、ラベルコードにおいて仕入先のコード、年度、仕入先別等に定めた枝番等を明示したものであってもよい。
例えば枝番によって、一の仕入先からの異なる商品の仕入や異なる日の仕入などを区別可能とするものであればよい。
ホストコンピュータにラベルプリンター等を接続してこの社内ＪＡＮラベル  ４を打ち出し可能としているものであってもよい。
尚、この社内ＪＡＮラベル  ４に関しては前記ラベルコードの明示だけでなく商品の内容の表示や発注番号等が表示されていることが望ましい。
【００２１】
この社内ＪＡＮラベル  ４は保管箇所に配設するものであり、ラベルコードだけの表示では視認した際にその内容を理解することができず、ラベルコードから読み取り機等で読み取る事が必要となるが、商品の内容の表示及び／又は発注番号等を具体的に明示しておくことにより、内容が一見して理解できる。
従って、保管場所においていかなる商品であるか等の判別が容易となる。
尚、この社内ＪＡＮラベル  ４を用いずに、例えば保管する商品についての特定可能な表示を別途の方法にて行うものであってもよい。
これらの場合前記ロケーションラベル  ３と同様に貼付・印刷等により配設してもよく、或いは商品保管用仕切り  １自体に商品の保管場所を特定可能な表示を配設するものでもよい。
【００２２】
尚、この社内ＪＡＮラベル  ４或いは保管する商品についての特定可能な表示に関しては、例えば商品自体にすでに保管する商品に関する表示がなされている場合やロケーションラベル  ３等から商品等が判別可能な場合には用いないものであってもよい。
又、社内ＪＡＮラベル  ４は商品に関する特定可能な表示を有する媒体であればよく、その形式内容はとわない。
次に図示はしないが、仕入れた商品に対して台車番号ラベルを発行するものでもよい。
例えば複数の商品を梱包してケース状態で包装されている商品を保管するものであるが、これらを中を開けずにいかなるものであるかを判別可能とするためのものである。
従って、台車番号ラベルには、商品に関するデータをラベルコードで明示し、商品の包装に貼付してもよい。
この場合商品に関するデータとして特定の番号を割り当て、この特定の番号を判別することにより、この番号に対応する商品に関するデータを抽出可能なものであってもよい。
【００２３】
従って、その商品がどこから何時仕入れ、その数、更には賞味期限等の商品の特殊特性等を割り出せるものであってもよい。
又、台車番号ラベルに商品名や数等を具体的に記号又は数字或いは文字で表示したものであってもよい。
この様な台車番号ラベルも例えば仕入れ時に、その各種データをホストコンピュータ入力しておき、更にラベルプリンター等を接続して打ち出し可能とするものであってもよい。
この他、保管場所において特別な区分け等を必要としている場合には別途オリコンラベルを発行し、このオリコンラベルにラベルコードを付し、これを元に商品の保管の際の特定等の便に供するものであってもよい。
尚、保管場所及び保管商品関係のデータの他に、これらの入庫・出庫或いは保管作業を行う担当者毎に社員コードを発行し、作業毎にそのコードを入力することにより、何時、誰が、どの作業を行ったかが判明し、作業の確認或いは確実化が図れる。
【００２４】
以上のように、保管場所においてロケーションラベル  ３・社内ＪＡＮラベル  ４等によって、商品の保管場所・保管商品の内容及び特定ができ、極めて確実なる保管管理を可能とすると共に商品の増減に対応し得るロケーションの提供ができる。
特にラベル上において具体的に一定事項が視認確認可能に表示されていれば一見しただけで判別でき、商品保管用仕切りを移動しても一見して確認できる。
更にデータの送受信可能な読取り送受信機を作業者が一人一人持つことにより、各ラベルのラベルコードを読み取ることができ、これを元にホストコンピュータからデータを入手でき、いかなるものであるかが判別可能である。
更には仕入れ商品を特定の棚等に保管した場合にそのデータをホストコンピュータに入力することにより、保管箇所で確実に必要データを蓄積できる。
特にデータの送受信可能な読取り送受信機がハンディタイプの小型送受信機でれば作業効率の格段なる効率化が図れる。
以上のように仕入れ段階から保管段階において極めて効率的かつ現場においても確実に保管商品の管理を可能とする。
【００２５】
例えば、いかなる商品がどの程度どこの棚や特定箇所にあるかが判明するばかりでなく、後に仕入れた商品を他の同種或いは同一商品の近傍又は並び或いは同一箇所に保管できるものである。
尚、各ラベルに明示或いは表示のラベルコードや表記の各事項に関しては上記記載の全ての事項を必ずしも必要とするものではなく、状況に応じ必要な事項のみを用いるものであってもよく、更には、ここに記載以外の事項を表示又は明示するものであってもよい。
次に図示はしないが、出庫の段階の流れの概略を簡単に説明する。
保管されている商品はそれぞれ保管場所において確実に管理されているが、出庫の段階或いは出庫要求があった段階で、保管されている商品群から出庫すべき商品を特定し、更に出庫先に関するデータ・出庫日・配送ルートに関するデータ・出庫する商品を特定可能なデータ、出庫すべき個数などを特定可能なデータをラベルコードに明示した納入先シールを発行する。
【００２６】
もとより、この出庫に関する各種事項はホストコンピュータ内に格納しこれに基づいてこれらの特定をするものであり、更にはこれに連接するプリンター等から打ち出した納入先シールであってもよい。
この納入先シールを出庫する商品の例えば包装等に貼付すれば出庫商品を間違わずに確実に選別でき出庫できる。
更に納入先シールに出庫先に関する事項・出庫日・配送ルート等を具体的に記号又は数字或いは文字で明示することにより、一見しただけで出庫の内容が判別でき極めて効率的である。
更には出庫後における流通上においても納入先においても商品の判別特定が容易であり、極めて効率的かつ確実なる商品の出庫、流通、納入ができる。
尚、これらのデータや表示は明示の事項を全て必要とするものではなく状況に応じ必要な事項を用いればよく、これら以外の事項を用いてもよい。
次に、この様に出庫した商品の一部が例えば返品された場合、一般的には返品商品は少数であり、その保管が極めて大変であった。
【００２７】
例えば販売期限のないものであれば、その商品自体は新品であるが、保管管理上一旦出庫されたものであり、他の新規入庫商品の場所とは異なる場所に保管するものが多く、何時のまにか紛失又は他の商品に紛れてしまう恐れもない訳ではなかった。
本商品の管理方法を用いると、いかなる商品が具体的にどこにあるか、或いはどの箇所に纏まってるかがすぐに分かるものであり、返品に際して入庫と同様に例えば検品し、同種の保管場所近傍に保管することも極めて容易に行える。
図２乃至図４は、本発明に係る商品管理方法をより効率的に行える商品管理方法において用いる商品保管用仕切り  １の使用状態の一例を示す図である。
例えば図２に示すように、三段の上部棚２１は３つの商品保管用仕切り  １によって区分けをされ、各々の商品保管用仕切り  １に仕切られた間隔即ち棚  ２の端部の壁部と第一の商品保管用仕切り  １の仕切り板１１との間には商品Ａが保管され、更に隣り合う第二の商品保管用仕切り  １の仕切り板１１と該第一の商品保管用仕切り１の仕切り板１１との間には商品Ｂが保管されている。
【００２８】
更にこの第二の商品保管用仕切り  １の仕切り板１１と、第三の商品保管用仕切り１の仕切り板１１との間には商品Ｃが保管されている。
又、中段の棚２２には、第四の商品保管用仕切り  １と第五の商品保管用仕切り  １と第六の商品保管用仕切り  １があり、壁と第四の商品保管用仕切り  １の仕切り板１１の間には商品Ｄがあり、第五の商品保管用仕切り  １と第六の商品保管用仕切り１の間には商品Ｅがあるが、第四の商品保管用仕切り  １と第五の商品保管用仕切り  １の間には現在在庫はない。
又、下段の棚２３には商品はなく、下段２３の隅に第七の商品保管用仕切り  １と第八の商品保管用仕切り  １と第九の商品保管用仕切り  １がその隅方向によせて配置されている。
これらの商品保管用仕切り  １は、商品の配置位置を定める仕切り板１１と該仕切り板１１に連接した基体１０と、基体１０に連接した鍔部１２とからなり、鍔部１２は棚  ２の側面２０に位置するように突出形成されている。
この鍔部１２にはロケーションラベル  ３と社内ＪＡＮラベル  ４が貼付されており、この棚  ２に置かれた商品がどのロケーションにあるか及び何が保管されているかが判明可能であり、どこにどの様な商品が保管されているかが判明し、保管を容易かつ確実にしている。
【００２９】
更に下段２３には商品が未だ保管されていないが、第七の商品保管用仕切り  １と第八の商品保管用仕切り  １と第九の商品保管用仕切り  １のそれぞれの鍔部１２には予めロケーションラベル  ３のみが貼付してあり、どのロケーションかすぐに判るものである。
尚、商品がない場合等はこの段階で下段２３にはロケーションラベル  ３を発行しておらないものであってももちろんよい。
この場合、下段の棚２３は、隅に各商品保管用仕切り  １が寄せられており、第七の商品保管用仕切り  １と第八の商品保管用仕切り  １と第九の商品保管用仕切り  １のそれぞれの基体１０がそれぞれ重なり合い、各仕切り板１１が接するように纏められている。
従って、必要に応じてこの商品保管用仕切り  １を移動することによって保管位置を確保できるものである。
通常の保管用の棚は予め固定された仕切りによって区切られている事が多く、その仕切り間の空間内における量の商品しかおけない。
【００３０】
従って、当初予定していた商品の在庫量が増えた場合には、同一商品でありながら別の保管場所におかなければならなくなってしまう事も多い。
更には、在庫量が少なくなった場合でも広い空間をそのまま保有しておかなければならない不都合も生ずる。
又可動可能な仕切りを有する場合にあっても、通常はその可動にはコツや力が必要な程度強固に設置されている場合が多く、この仕切りの可動を行いずらい場合が多い。
更には、本来棚等の当初商品量を想定し、その保管を予定して定めた範囲自体にロケーションの番号を付していることが多く、保管範囲を商品の多少に応じて変更する事はなかなかできず、保管場所の非効率運用となっていた。
従って、保管箇所が商品の量の変動によって有効に変更できないばかりでなく、更にはその保管場所においても予定商品のみしかおけず、更には例えば隣の商品量が少なくスペースの余裕があるにも拘らず、想定している量よりも多くなりスペース的に入りきれない商品がでた場合には、保管スペースは隣にあるにも拘らず、保管管理上その開いたスペースにおくことができない事から全く異なる場所に多くなり過ぎた商品を保管しなければならなくなってしまう。
【００３１】
しかし、本発明に係る商品保管用仕切り  １を用いることにより、その保管スペースを自由に変動できると共に、その商品保管用仕切り  １にはロケーションラベル  ３と必要に応じて社内ＪＡＮラベル  ４が鍔部１２に貼付してあり、いかなる商品がいかなるロケーションにあるか明確となると共に、管理システム上も有効に機能する。
更に入庫と出庫を繰り返す商品の量の変動に的確に応ずることができ、保管スペースの有効活用が図れる。
なお、例えば全く予想していない返品がでた場合にあっても、同種又は同一商品群の近傍又は同一箇所に保管をすることも簡単にできる。
図３は、上段２１においては図に示す商品Ａの在庫が増え、商品Ｂと商品Ｃの在庫量が減った場合の応用例を示し、中段２２においては商品Ｄの在庫が増え、更に商品Ｄの返品があり、これを第四の商品保管用仕切り  １と第五の商品保管用仕切り  １の間を保管場所として定めて保管し、更には商品Ｅが増えた状態を示す。
又、他の商品であって暈の大きい商品Ｆが入庫した場合の商品保管用仕切り  １を移動させて対処した状態を示す図である。
【００３２】
上段２１においては、第一の商品保管用仕切り  １、第二の商品保管用仕切り  １、第三の商品保管用仕切り  １をそれぞれ棚の平面上を水平方向に移動させて、それぞれの仕切り板１１の位置を移動させることにより、各スペースの量を変動させ、商品保管に必要なスペースを確保している。
更に各商品保管用仕切り  １の鍔部１２にロケーションラベル  ３と社内ＪＡＮラベル  ４を明示しており、いかなる保管商品及び場所であるか等を特定できる。
中段２２においても同様であり、在庫量に応じて各商品保管用仕切り  １の移動によりスペースを確保できる。
尚、返品Ｄを第四の商品保管用仕切り  １の仕切り板１１と第五の商品保管用仕切り  １の仕切り板１１との間に保管した状態を示すが、例えば同一商品であることから壁と第四の商品保管用仕切り  １の仕切り板１１の間の商品Ｄの保管場所に保管するものであってももちろんよい。
下段２３においては、上段２１や中段２２のように数種の商品を保管するのではなく、一の商品だけを保管するが、必要に応じて商品保管用仕切り  １の移動により数種の商品の保管も可能な状態を示している。
【００３３】
即ち、この下段２３には商品Ｆが第七の商品保管用仕切り  １の仕切り板１１と壁面との間に保管されているが、第七の商品保管用仕切り  １の下には第八の商品保管用仕切り  １及び第九の商品保管用仕切り  １が重ねられており、商品Ｆが減った場合には第八の商品保管用仕切り  １及び第九の商品保管用仕切り  １の移動によって保管箇所の確保ができる。
尚、第八の商品保管用仕切り  １及び第九の商品保管用仕切り  １のそれぞれの鍔部１２の大部分は第七の商品保管用仕切り  １の鍔部１２によって覆われることから、第七の商品保管用仕切り  １の鍔部１２に貼付したロケーションラベル  ３と社内ＪＡＮラベル  ４は、視認可能であるが第八の商品保管用仕切り  １及び第九の商品保管用仕切り  １は隠れることとなり、保管作業者等にとっては非常に見やすく誤認することがない。
【００３４】
例えば重なり合う仕切り板１１方向の鍔部１２にロケーションラベル  ３を貼付し、他端方向の鍔部１２に社内ＪＡＮラベル  ４を貼付することにより、重ね合った下の商品保管用仕切り  １のロケーションラベル  ３のみ視認できる構成とすることもできる。
図４は、図２の下段２３の第七の商品保管用仕切り  １と第八の商品保管用仕切り１と第九の商品保管用仕切り  １をそれぞれ仕切り板１１を背の低いものに代え、更にこれらの第七の商品保管用仕切り  １と第八の商品保管用仕切り  １と第九の商品保管用仕切り  １をそれぞれ商品保管スペースを有する状態で配置し、更に前記各仕切り板１１の上部に板体  ５を載置し、該板体  ５上に商品保管用仕切り  １を更に配置した状態を示す。
これにより新しいロケーションを必要に応じて得ることができる。
尚、商品保管用仕切り  １に関し、仕切り板１１の高さは任意に定めればよいことから、例えば当初より上部空間を有する程度の背の低い仕切り板１１を用いておれば当初配置した商品保管用仕切り  １の上部に板体  ５をそのまま載置させて、更なるロケーションを得るものであってもよい。
【００３５】
図５は、商品保管用仕切り１の一例を示す図である。
本図に示す商品保管用仕切り  １は商品を保管している場所に商品の配置位置を定める仕切り板１１と、該仕切り板に連接した基体１０と、基体１０に連接した鍔部１２とからなる。
仕切り板１１は基体１０に対して垂直方向に起立した板状体よりなり壁面を構成し、更に基体１０は棚面に載置可能に水平面を有している。
更にこの基体１０の一端辺即ち棚面上に載置した場合に棚の側面２０部分に被さるように突出形成された鍔部１２を有する。
この鍔部１２は、ロケーションラベル  ３と社内ＪＡＮラベル  ４とを貼付・印刷等により配設できるスペースを有し、更に入庫・保管・出庫等作業中に作業者から視認可能できるように構成されている。
尚、この他ロケーションラベル  ３のみを配設可能な鍔部１２であってもよい。
更にはこの鍔部１２に商品の保管場所を特定可能な表示を明示可能であればよく、例えばこの鍔部１２自体を商品の保管場所を特定可能な表示を用いて或いはその表示に成形しているものであってもよい。
【００３６】
又、鍔部１２に関しては本図に示すものは基体１０に連接した鍔部１２を有しているが、これに限らず例えば仕切り板１１に鍔部１２を有するものであってもよい。
商品の入庫時・出庫時或いは保管時に該ロケーションラベル  ３や社内ＪＡＮラベル  ４を視認可能であればよい。
次に、図示しないが本発明に係る商品管理方法を用いる場合に、コンピューター及びデータの送受信可能な読取り送受信機を用いることにより効率的に運用できる。
まずメインコンピュータとしてサーバを有し、これは複数の運用管理コンピュータと接続させる。
更に、運用管理コンピュータにはプリンター例えばラベラー等を接続し、各種ラベルや納入先シール等を印字するが、保管場所においてバブを介してプリンター例えばラベラー等を配置しておき、保管場所で必要な各種ラベルや印刷データを取得可能とする。
【００３７】
作業者は例えば無線ハンディーリーダー等のデータの送受信可能な読取り送受信機を所持し、これを用いて商品管理を現場で行う。
このデータの送受信可能な読取り送受信機は、ラベルコードを読み取れると共に手入力によってもデータを入力可能とするとより便利であり、又データを視認できるディスプレイ部を有しているものであってもよい。
これにより、ラベルコードを読み取ってこのデータを運用管理コンピュータやサーバ等に送信でき、又必要データを運用管理コンピュータやサーバ等から入手できる。
以上のように、管理場所と保管場所を離しても有効に商品管理ができ、更には広い保管場所を有する場合であっても、商品の保管管理を簡単にかつ効率よく行うことができることとなる。
【００３８】
【発明の効果】
１、本発明に係る商品管理方法、即ち移動可能な商品保管用仕切りにロケーションラベル及び社内ＪＡＮラベル等に各データを導けるラベルコードを有しており、商品の把握及び保管場所の把握が可能であり保管場所における商品の在庫状況を簡単かつ確実に管理できるという第一の効果を有する。
２、商品保管用仕切りを移動可能とすることにより、必要に応じてロケーション即ち商品の保管スペースを増減でき、入庫又は出庫或いは返品等に対して保管すべき範囲を自由に変動でき、保管スペースを有効に活用できるという第二の効果を有する。
３、更に板体と商品保管用仕切りを用いることにより、保管スペース内の上部空間に対しても新たなロケーションを付与することができ、効率的な保管を可能とするという第三の効果を有する。
４、又、商品保管用仕切りを移動して商品の増減に対処した場合においても商品保管用仕切りにロケーションラベル及び／又は社内ＪＡＮラベルを配設していることから、移動後においても商品の把握及び保管場所の把握が可能であり保管場所における商品の在庫状況を簡単かつ確実に管理できるという第四の効果を有する。
【００３９】
５、更にデータの送受信可能な読取り送受信機を用いることにより、作業現場とサーバ等の管理コンピュターとのデータの送受信を可能とし、現場においても必要なデータを入手できると共に保管状態に関する必要なデータ等を送信してコンピュータ内に格納でき効率的な商品管理を行うことができるという第五の効果を有する。
６、又、作業を行う担当者に対して社員コードを発行し、例えば作業毎にその作業者に関するデータを格納することができ、作業記録の充実が図れると共に後日の確認の確実化等を図れ、より確実な商品管理を行うことができるという第六の効果を有する。
以上のように商品管理に関し、従来に比し極めて効率的にかつ安全確実に商品の保管ができるという極めて大きな効果を有するものである。
【図面の簡単な説明】
【図１】本発明に係る商品管理方法の入荷段階の基本的な流れを示す図
【図２】三段の棚に商品管理方法の商品保管用仕切りを用いて商品を保管した一例を示す図
【図３】三段の棚に商品管理方法の商品保管用仕切りを用いて商品を保管した一例を示す図
【図４】三段の棚に商品管理方法の商品保管用仕切りを用いて商品を保管した一例を示す図
【図５】本発明に係る商品保管用仕切りの一例を示す図
【符号の説明】
１    商品保管用仕切り
１０    基体
１１    仕切り板
１２    鍔部
２    棚
２０    側面
２１    上段
２２    中段
２３    下段
３    ロケーションラベル
４    社内ＪＡＮラベル
５    板体
Ａ〜Ｆ    商品
【図１】
2004155535.tif 000003
【図２】
2004155535.tif 000004
【図３】
2004155535.tif 000005
【図４】
2004155535.tif 000006
【図５】
2004155535.tif 000007